(57)【要約】【課題】本発明は、タンク内を冷却媒体が自然対流する駆動力を増加させ、全体の冷却性能を向上することができる静止誘導電器を提供することにある。【解決手段】本発明は、冷却媒体８を充填したタンク４の外面周方向に上下方向に長い放熱リブ（５，６）を複数設け、これら隣接する放熱リブ間の高さ方向の中間部に、放熱リブ間に沿って上方に流れる外気を撹乱する撹乱手段（７）を設けたのである。  上述のように構成することで、下方の放熱リブを冷却して昇温した外気が途中で撹乱されて周囲の温度が低い外気と混じることで温度が低下し、温度が下がった外気によって上方の放熱リブを冷却するので、上方の放熱リブ内の冷却媒体の冷却を促進することができ、その結果、上方の放熱リブ内を下降する冷却媒体８の駆動力を増加させて循環流量を増加させることができる。【選択図】図１
2010010511.tif 000002
【特許請求の範囲】
【請求項１】
電器本体と、この電器本体を収容し内部に冷却媒体を充填したタンクと、このタンクの周壁の周方向に複数設けた上下方向に長い放熱リブとを備えた静止誘導電器において、前記放熱リブの高さ方向の中間部に、放熱リブに沿って上昇する外気を撹乱する外気撹乱手段を設けたことを特徴とする静止誘導電器。
【請求項２】
前記外気撹乱手段は、前記放熱リブの高さ方向の中間部で上昇する外気の流通を阻害する障害物であることを特徴とする請求項１記載の静止誘導電器。
【請求項３】
前記外気撹乱手段は、前記放熱リブを高さ方向に複数に分割して前記タンクの周方向に形成した空気流路であることを特徴とする請求項１記載の静止誘導電器。
【請求項４】
電器本体と、この電器本体を収容し内部に冷却媒体を充填したタンクと、このタンクの周壁の周囲に複数設けた上下方向に長い放熱リブとを備えた静止誘導電器において、前記放熱リブを高さ方向に複数に分割して前記タンクの周方向に空気流路を形成して外気撹乱手段を構成し、かつ、上部に位置する放熱リブと下部に位置する放熱リブを前記タンクの周壁の周方向にずらして配置したことを特徴とする静止誘導電器。
【請求項５】
前記上部に位置する放熱リブと前記下部に位置する放熱リブを前記タンクの周壁の周方向に１／２ピッチずらして配置したことを特徴とする請求項４記載の静止誘導電器。
【請求項６】
電器本体と、この電器本体を収容し内部に冷却媒体を充填したタンクと、このタンクのの周壁の周囲に複数設けた上下方向に長い放熱リブとを備えた静止誘導電器において、前記放熱リブを高さ方向に複数に分割して前記タンクの周方向に空気流路を形成して外気撹乱手段を構成し、かつ、上部に位置する放熱リブを下部に位置する放熱リブよりも前記タンクからの張り出し寸法を大きくしたことを特徴とする静止誘導電器。
【請求項７】
電器本体と、この電器本体を収容し内部に冷却媒体を充填したタンクと、このタンクの周壁の周囲に複数設けた上下方向に長い放熱リブとを備えた静止誘導電器において、前記放熱リブを高さ方向に複数に分割して前記タンクの周方向に空気流路を形成して外気撹乱手段を構成し、かつ、上部に位置する放熱リブを下部に位置する放熱リブよりも前記タンクからの張り出し寸法が大きい、放熱リブの高さ寸法が大きいの２つの構成のうち少なくとも１つの構成を有することを特徴とする静止誘導電器。
【請求項８】
電器本体と、この電器本体を収容し内部に冷却媒体を充填したタンクと、このタンクの周壁の周囲に複数設けた上下方向に長い放熱リブとを備えた静止誘導電器において、前記放熱リブを高さ方向に複数に分割して前記タンクの周方向に空気流路を形成して外気撹乱手段を構成し、かつ、上部に位置する放熱リブを下部に位置する放熱リブよりも前記タンクからの張り出し寸法が大きい、放熱リブの高さ寸法が大きい、隣接する放熱リブの間隔が狭いの３つの構成のうち少なくとも１つの構成を有することを特徴とする静止誘導電器。
【請求項９】
上部に位置する放熱リブは、下部に位置する放熱リブよりも前記タンクの周方向に広い範囲で設置されていることを特徴とする請求項３，４，５，６，７又は８記載の静止誘導電器。
【請求項１０】
電器本体と、この電器本体を収容し内部に冷却媒体を充填したタンクと、このタンクの周壁の周囲に複数設けた上下方向に長い放熱リブとを備えた静止誘導電器において、前記放熱リブの高さ方向の中間部に、放熱リブに沿って上昇する外気とは別の外気を導入する外気導入手段を設けたことを特徴とする静止誘導電器。
【請求項１１】
前記放熱リブは、前記タンクに充填された冷却媒体が流通する空間が前記タンクの内側に開口していることを特徴とする請求項１〜１０のいずれかに記載の静止誘導電器。
【請求項１２】
前記放熱リブは、中実の板状に形成された放熱フィンであることを特徴とする請求項１〜１０のいずれかに記載の静止誘導電器。
【発明の詳細な説明】
【技術分野】
【０００１】
本発明は変圧器やリアクトルなどの静止誘導電器に係り、特に、電器本体を収納するタンク内に冷却媒体を充填しタンク外面に複数の放熱リブを備えた静止誘導電器に関する。
【背景技術】
【０００２】
電器本体を収納するタンク内に冷却媒体を充填しタンク外面に複数の放熱リブを備えた静止誘導電器は、例えば特許文献１に開示されているように、既に提案されている。
【０００３】
【特許文献１】特開平１−１０８７１３号公報
【発明の開示】
【発明が解決しようとする課題】
【０００４】
上記特許文献１に記載の静止誘導電器は、図１１及び図１２に示すように、電器本体１が収納されたタンク４の周壁の周囲にタンク４の高さ方向に長い複数の放熱リブ１５を形成している。前記放熱リブ１５は、前記タンク４に充填した冷却媒体８が流通できるように前記タンク４内に臨んで開口する空間１５Ａが形成されている。
【０００５】
このように構成された静止誘導電器においては、電器本体１から発生した損失により発熱して昇温するが、これらの熱は冷却媒体８に伝えられて冷却される。そして熱を吸収した冷却媒体８は、放熱リブ１５の空間１５Ａを流通することで、吸収した熱をタンク４の外部に放出する。
【０００６】
ところで、電器本体１の近傍の冷却媒体８は、伝わった熱により昇温して密度が小さくなり、矢印で示すように、タンク４内を上昇する。一方、タンク４の上方の昇温された冷却媒体８は、電器本体１から離れているタンク４の周壁や放熱リブ１５を通して外部の空気Ａによって冷却される。冷却されて温度が低下した冷却媒体８は密度が大きくなるので、タンク４や放熱リブ１５に沿ってタンク４の下方に向って流れる。タンク４の下方に至った冷却媒体８は、再び電器本体１から熱を奪い、上方に向って流れを生じ、タンク４内を自然対流によりａ→ｂ→ｃ→ｄ→ｅ→ａの順に循環する。
【０００７】
一般的に、冷却媒体８が自然対流する駆動力ΔＰdriveは、冷却媒体８の比重量γ、体積膨張率β、放熱リブ１５の中心高さと巻線中心高さの差Δｈ、冷却媒体８のタンク上下部における温度差Δθを用いて、ΔＰdrive＝γ・β・Δｈ・Δθで表されるとされている。
【０００８】
図１１に示す冷却媒体８の自然対流によるａ→ｂ→ｃ→ｄ→ｅ→ａの循環に対応したタンク４の高さ方向における冷却媒体８の位置と温度との関係を表したのが図１３である。この図１３において、面積ｏ−ｂ−ｃ，ｄ−ｏから面積ｏ−ａ−ｅ−ｏを引いた値がΔｈ・Δθと等しくなり、この差し引いた値が駆動力ΔＰdriveに比例する。
【０００９】
ところが、実際の静止誘導電器である変圧器を用いて行った温度上昇試験において、タンク４の高さ方向の各位置における冷却媒体８である絶縁油の温度を詳細に測定した結果、放熱リブ１５内を下降する絶縁油の温度変化は、図１３のｃ，ｄ−ｏ−ｅに示す直線的な温度低下ではなく、図１４に示すｃ，ｄ−ｏ−ｅのように、タンク４の上部での温度低下が小さく、タンク４の下方部で急激に温度が低下することが判った。
【００１０】
これらのことから、自然対流を引き起こす冷却媒体８の駆動力は、図１４における面積ｏ−ｂ−ｃ，ｄ−ｏから面積ｏ−ａ−ｅ−ｏを引いた値に比例するため、冷却媒体８の循環流量は、一般的に考慮されていたよりも実際は少なくなっている。
【００１１】
以上から、タンク４の上下部における冷却媒体８の温度差が大きくなって、タンク４の上部における冷却媒体８の温度が高くなり、電器本体１の冷却を十分に行えない問題がある。
【００１２】
このように放熱リブ１５内を下降する冷却媒体８の温度がタンク４の上方部では僅かしか低下せず、下方部において急激に低下する理由を、図１５に基づいて説明する。
【００１３】
隣接する冷却リブ１５間に下端部から流入した空気Ａは、上端部に至るまで放熱リブ１５に接触しているので、放熱リブ１５の周囲の空気Ａの温度分布１５Ｉは二点差線に示すようになり、放熱リブ１５の上方に行くにしたがって昇温した空気Ａの分布が広くなる。このため、放熱リブ１５の上方部では温度の低い外気での冷却は望めず冷却媒体８からの熱の伝達は少ない。一方、放熱リブ１５の下方部では空気Ａの温度が低いので昇温した空気Ａの分布は狭く冷却媒体８からの熱の伝達が多くなる。したがって、放熱リブ１５内を下降する冷却媒体８の温度はタンク４の上方部では僅かしか低下せず、下方部において急激に低下するのである。
【００１４】
本発明の目的は、放熱リブの上方部においても冷却媒体の冷却を十分に行うことで、タンク内を冷却媒体が自然対流する駆動力を増加させ、全体の冷却性能を向上することができる静止誘導電器を提供することにある。
【課題を解決するための手段】
【００１５】
本発明は上記目的を達成するために、電器本体を収容し内部に冷却媒体を充填したタンクの周壁の周囲に上下方向に長い放熱リブを複数設け、隣接する放熱リブ間の高さ方向の中間部に、放熱リブ間に沿って上方に流れる外気を撹乱する外気撹乱手段を設けたのである。
【００１６】
上述のように、外気撹乱手段を設けたので、冷却リブの下方部を冷却して昇温した外気が途中で外気撹乱手段により乱され、これによって周囲の温度が低い外気が放熱リブ間に呼び込まれて混じるので昇温した外気の温度を低下させる。そして、この温度が下がった外気によって放熱リブの上方部を冷却することができる。その結果、放熱リブ上方部の周囲の昇温した外気の分布は、放熱リブ下方部における昇温した外気の分布に接近するようになり、冷却媒体の冷却を促進してタンク内を自然対流する冷却媒体の駆動力を増加させることができるのである。
【発明の効果】
【００１７】
以上説明したように本発明によれば、放熱リブの上方部においても冷却媒体の冷却を十分に行うことで、タンク内を冷却媒体が自然対流する駆動力を増加させ、全体の冷却性能を向上することができる静止誘導電器を得ることができる。
【発明を実施するための最良の形態】
【００１８】
以下本発明による静止誘導電器の第１の実施の形態を、図１及び図２に示す変圧器に基づいて説明する。
【００１９】
本実施の形態による変圧器は、鉄心２に装着された巻線３とからなる電器本体１と、この電器本体１を収納するタンク４と、このタンク内に充填された絶縁油，空気，窒素ガス，６弗化硫黄ガス等の冷却媒体８とから構成され、前記タンク４の周壁には冷却媒体８を流通させる空間５Ａ，６Ａを内部に形成した下方放熱リブ５と上方放熱リブ６とが設けられている。
【００２０】
下方放熱リブ５と上方放熱リブ６の空間５Ａ，６Ａは、夫々タンク４の内部に臨んで開口しており、冷却媒体８がタンク４内とこれら空間５Ａ，６Ａ内を流通するようにしている。また、下方放熱リブ５と上方放熱リブ６は、タンク４の周壁の回りに複数設けられていると共に、タンク４の周壁の高さ方向に沿って同一線上に並んで形成されている。
【００２１】
そして、下方放熱リブ５と上方放熱リブ６との間には、前記タンク４の周方向に連続した空気流路７が形成されている。
【００２２】
本実施の形態による変圧器は上記構成としたことにより、電器本体１での発熱は、冷却媒体８の自然対流によってタンク４や下方放熱リブ５及び上方放熱リブ６に伝達され、タンク４や下方放熱リブ５及び上方放熱リブ６の外面に接触して流れる外気Ａ１，Ａ２によって冷却される。
【００２３】
このときの外気Ａ１，Ａ２の流れは、図３に示すようになる。即ち、隣接する下方放熱リブ５間に下方から流入する外気Ａ１は、下方放熱リブ５の外面からの熱を奪って昇温して徐々に密度が小さくなり、自然対流によって下方放熱リブ５近傍を層状になって上方に向って流れる。下方放熱リブ５に接する外気Ａ１は、下方放熱リブ５の下端から上端に至るまで常に接触しているので、下方放熱リブ５に接して昇温した外気Ａ１は下端で狭く上端で広くなる温度分布５Ｉとなる。
【００２４】
したがって、下方放熱リブ５と上方放熱リブ６とが上下に連なる一体構成の場合には、上方放熱リブ６の近傍に上昇してきた昇温された外気の温度分布はかなり広くなる。そのために、タンク４の上方部における冷却媒体８の温度と外気温度とが近接してしまい、その結果、昇温した冷却媒体８の熱を、上方放熱リブ６を介して外気に伝達する効率が低下し、昇温した冷却媒体８を十分に冷却することができなくなる。
【００２５】
この点、本実施の形態によれば、下方放熱リブ５近傍の昇温された外気Ａ１の温度分布５Ｉが広くなる前に、下方放熱リブ５と上方放熱リブ６との間に、外気を撹乱する外気撹乱手段である空気流路７が形成されているので、隣接する下方放熱リブ５間やその近傍を層状になって上方に向って流れる外気Ａ１は、空気流路７に流れ込む温度の低い外気Ａ３によって流れが撹乱される。即ち、隣接する下方放熱リブ５間を昇温しながら上昇してきた外気Ａ１は、空気流路７部で昇温していない外気Ａ３によって撹乱されて混合し、それによって高くなった温度が低下する。
【００２６】
撹乱によって温度が低下した空気は外気Ａ２となって隣接する上方放熱リブ６間に流れ込み、前述の上方放熱リブ６に沿って上昇し、下方放熱リブ５の外気Ａ１と相似の温度分布６Ｉとなって冷却媒体８の冷却を行うことができる。
【００２７】
その結果、下から上まで連続して形成された放熱リブに比べて、上方放熱リブ６を冷却する外気Ａ２の温度を低くすることができる。また、上方放熱リブ６は、外気Ａ２による冷却が上方放熱リブ６の下端から発生するため、上方放熱リブ６近傍の高さ方向における昇温した外気Ａ２の温度分布６Ｉは下方放熱リブ５の温度分布５Ｉと相似になる。その結果、タンク４の上方部における冷却媒体８の温度と上方放熱リブ６の近傍の外気Ａ２の温度との温度差が大きくなり、上方放熱リブ６から多くの熱が外気Ａ２に伝わり、タンク４の上方部における昇温した冷却媒体８を十分に冷却することができる。
【００２８】
以上から、タンク４と下方放熱リブ５及び上方放熱リブ６内を循環する冷却媒体８の温度変化は、図４に示すようになる。即ち、タンク４内を上昇する冷却媒体８の各位置における温度変化は、ａ−ｂ−ｃ，ｄとなって従来と変わらないが、下方放熱リブ５及び上方放熱リブ６内を下降する冷却媒体８の各位置における温度変化は、ｃ，ｄ−ｅ，ｆ−ｇ，ｈ−ｉとなり、ほぼ直線状に温度が低下することになる。これは図１３に示す温度変化に近似する温度変化となり、面積ｏ−ｂ−ｃ，ｄ−ｅ，ｆ−ｇ，ｈ−０から面積ｏ−ａ−ｉ−ｏを差し引いた値が大きくなり、それに比例して冷却媒体８の自然対流の駆動力が増大するので、冷却媒体８の循環流量を増加させることができる。
【００２９】
冷却媒体８の循環流量の増加により、タンク４内の高さ方向における冷却媒体８の温度差が小さくなると共に、電器本体１から冷却媒体８への熱伝達率が大きくなる。それにより、電器本体１の温度上昇は抑えられ、変圧器の冷却性能を向上できるので、容量の増加や小型化を実現できる。
【００３０】
以上の実施の形態は、上下２分割した放熱リブ５，６の分割部にタンク４の周壁に沿って空気流路７を形成したものであるが、放熱リブを上下３分割以上にして空気流路を２つ以上形成するようにすることで、タンク４内の高さ方向における冷却媒体８の温度差をさらに小さくすることができ、さらに電器本体１から冷却媒体８への熱伝達率を大きくすることができる。
【００３１】
また、外気撹乱手段として、放熱リブ５，６間をタンク４の周壁の周囲に沿って貫く空気流路７を形成したが、放熱リブ５，６を一体化した構成において、放熱リブに上昇する外気の流れを阻止する障害物を設けて外気撹乱手段としたりして、周囲の温度の低い外気を混入するようにしてもよい。
【００３２】
さらに、放熱リブ５，６を一体化した構成において、放熱リブの高さ方向に中間部に、温度の低い外気を放熱リブ側に導入する外気導入手段を設け、昇温した外気の温度を低下させるようにしてもよい。
【００３３】
次に、本発明による静止誘導電器の第２の実施の形態を、図５〜図７に示す変圧器に基づいて説明する。尚、図１〜図３の符号と同一符号は同一構成部品を示すので、再度の詳細な説明は省略する。
【００３４】
本実施の形態において、第１の実施の形態と異なる構成は、Ｐ１ピッチを有する下方放熱リブ５と、Ｐ１ピッチと同じピッチとなるＰ２ピッチを有する上方放熱リブ６とを、タンク４の周壁の周方向に対して１／２ピッチずらして設置した点である。
【００３５】
このような構成では、隣接する下方放熱リブ５間を上昇してくる外気Ａ１の内、昇温された外気の温度分布５Ｉの外側を流れる温度の低い外気Ａ１が、上方放熱リブ６に沿って流れるようになるので、上方放熱リブ６に接触して流れる外気Ａ２は、第１の実施の形態の外気Ａ２よりも温度が低くなり、上方放熱リブ６近傍の昇温した外気Ａ２の温度分布６Ｉを、より下方放熱リブ５近傍の温度分布５Ｉに近付けることができる。勿論、下方放熱リブ５と上方放熱リブ６との間に形成した空気流路７に流れ込む外気Ａ３による外気Ａ２の低温度化も考慮すると、第１の実施の形態に比べて変圧器の冷却性能はより向上できることは云うまでもない。
【００３６】
ところで、本実施の形態においては、下方放熱リブ５と上方放熱リブ６とを周方向に１／２ピッチずらしたものであるが、下方放熱リブ５と上方放熱リブ６とが周方向にずれていれば第１の実施の形態に比べて変圧器の冷却性能を向上できるので、必ずしも１／２ピッチずらすことに限定されるものではない。
【００３７】
図８は、本発明による静止誘導電器の第３の実施の形態を示すもので、第１の実施の形態と異なる構成は、下方放熱リブ９と上方放熱リブ１０の形状が異なる点である。
【００３８】
即ち、本実施の形態においては、上方放熱リブ１０のタンク４の周壁からの張り出し寸法Ｌ２を下方放熱リブ９の張り出し寸法Ｌ１よりも大きく形成すると共に、上方放熱リブ１０の高さ寸法Ｈ２を下方放熱リブ９の高さ寸法Ｈ１よりも大きく形成したのである。
【００３９】
このように形成することで、上方放熱リブ１０の冷却媒体８との伝熱面積が下方放熱リブ９よりも大きくなり、さらに、上方放熱リブ１０の先端部は下方放熱リブ９を冷却し終えた外気の影響を受けないので、外気による冷却効率が向上するのである。
【００４０】
尚、上方放熱リブ１０の張り出し寸法Ｌ２と下方放熱リブ９の張り出し寸法Ｌ１とを同じにして上方放熱リブ１０の高さ寸法Ｈ２を下方放熱リブ９の高さ寸法Ｈ１よりも大きく形成してもよく、上方放熱リブ１０の高さ寸法Ｈ２と下方放熱リブ９の高さ寸法Ｈ１とを同じにして上方放熱リブ１０のタンク４の張り出し寸法Ｌ２を下方放熱リブ９の張り出し寸法Ｌ１よりも大きく形成しても、第１の実施の形態と同等以上の効果を奏することができる。
【００４１】
図９は、本発明による静止誘導電器の第４の実施の形態を示すもので、第１の実施の形態と異なる構成は、上方放熱リブ１２のリブピッチを下方放熱リブ１１のリブピッチよりも小さく、例えば１／２ピッチにしたものである。
【００４２】
このように構成することで、上方放熱リブ１２の冷却媒体８との伝熱面積は、下方放熱リブ１１の伝熱面積のほぼ２倍になり、その分、上方放熱リブ１２での冷却媒体８の降温作用を大きくすることができる。その結果、上方放熱リブ１２内を下降する冷却媒体８の駆動力が増加して循環流量が多くなり、変圧器の冷却性能を第１や第２の実施の形態に比べてより向上させることができる。
【００４３】
尚、本実施の形態を、第３の実施の形態のいずれかの構成、あるいは全部の構成と組み合わせて上方放熱リブ１２の伝熱面積を下方放熱リブ１１の伝熱面積よりも増加させることでも、冷却媒体８の駆動力を増加させて循環流量を多くし、変圧器の冷却性能をより向上させることができる。即ち、上方放熱リブの張り出し寸法を下方放熱リブよりも大きい、上方放熱リブの高さ寸法が下方放熱リブよりも大きい、隣接する上方放熱リブの間隔が下方放熱リブよりも狭い、の３つの構成のうち少なくとも１つの構成及び全部の構成の組み合わせ、または３つの構成からの選択的組み合わせは、変圧器の仕様や容量、さらには設置場所を考慮して設計製作することで、冷却性能をより向上させることができる。
【００４４】
図１０は、本発明による静止誘導電器の第５の実施の形態を示すもので、第１の実施の形態と異なる構成は、タンク４の周壁への放熱リブの取り付け範囲である。
【００４５】
本実施の形態では、上方放熱リブ１４のタンク４の周壁への取り付け範囲を、下方放熱リブ１３の取り付け範囲よりも広範囲にしたのである。
【００４６】
このように構成することで、上方放熱リブ１４の数が下方放熱リブ１３よりも多くなり、その結果、上方放熱リブ１４の伝熱面積を下方放熱リブ１３よりも大きくすることができ、結果的に、第３の実施の形態と同様な効果を奏することができる。
【００４７】
以上説明したように本発明の各実施の形態によれば変圧器の内部構造を変えることなく変圧器の冷却効率を向上させることができ、利用の可能性は極めて高い。
【００４８】
ところで、上記各実施の形態においては、放熱リブとして内側に空間が形成され、この空間をタンク４内に臨ませることで、冷却媒体８を空間内に流通させる構成を説明したが、放熱リブとして板材からなる放熱フィンを用いても本発明を適用できることは云うまでもない。また、各実施の形態は静止誘導電器として変圧器を一例に説明したが、例えばリアクトル等のように、電器本体がタンク内に収納され、タンク内に冷却媒体が充填され、しかもタンク周壁に放熱リブが設けられている静止誘導電器であれば本発明は適用できる。
【図面の簡単な説明】
【００４９】
【図１】本発明による静止誘導電器の第１の実施の形態を示す変圧器の縦断面図。
【図２】図１の外観図。
【図３】図２の放熱リブ近傍の温度分布と外気の流れを示す模式図。
【図４】図１の変圧器内部の冷却媒体の各位置における温度を示す関係図。
【図５】本発明による静止誘導電器の第２の実施の形態を示す変圧器の図２相当図。
【図６】図５の放熱リブ近傍の温度分布と外気の流れを示す模式図。
【図７】図５のＡ−Ａ線に沿う拡大断面図。
【図８】本発明による静止誘導電器の第３の実施の形態を示す変圧器の放熱リブの拡大側面図。
【図９】本発明による静止誘導電器の第４の実施の形態を示す変圧器の図２相当図。
【図１０】本発明による静止誘導電器の第５の実施の形態を示す変圧器の図２相当図。
【図１１】従来の変圧器を示す図１相当図。
【図１２】図１１の外観図。
【図１３】図１１における冷却媒体の各位置における温度を示す想定関係図。
【図１４】図１１における冷却媒体の各位置における温度を示す実測関係図。
【図１５】図１２の放熱リブ近傍の温度分布と外気の流れを示す模式図。
【符号の説明】
【００５０】
１…電器本体、２…鉄心、３…巻線、４…タンク、５，９，１１，１３…下方放熱リブ、５Ａ…空間、５Ｉ，６Ｉ，１５Ｉ…温度分布、６，１０，１２，１４…上方放熱リブ、６Ａ…空間、７…空気流路、８…冷却媒体、１５…放熱リブ。
【図１】
2010010511.tif 000003
【図２】
2010010511.tif 000004
【図３】
2010010511.tif 000005
【図４】
2010010511.tif 000006
【図５】
2010010511.tif 000007
【図６】
2010010511.tif 000008
【図７】
2010010511.tif 000009
【図８】
2010010511.tif 000010
【図９】
2010010511.tif 000011
【図１０】
2010010511.tif 000012
【図１１】
2010010511.tif 000013
【図１２】
2010010511.tif 000014
【図１３】
2010010511.tif 000015
【図１４】
2010010511.tif 000016
【図１５】
2010010511.tif 000017